(57)【要約】      （修正有）【課題】ポケットコイルスプリングを搭載した脚付きベッドが部屋の通路を確保する為に折りたため、クッション及び収納カバーを使うことによりソファーとしても使える機能を備え、様々な形に変化するベッドソファーを提供する。【解決手段】ベッドの状態から内側に折りたたむことにより部屋のスペースを確保でき、寝心地をよくするためリクライニング機能を外し、ポケットコイルを入れた。また、折りたたんだ時に収納カバー７に布団８など収納し、布団のクッション性を利用して背の形にすることでソファーとしても使え、折りたたみ時でも無駄な場所を取らずスペース活用ができる。【選択図】図３
0003233726.tif 000002
【実用新案登録請求の範囲】
【請求項１】
折り畳んだ時に座面が水平なおかつ段差がないように設計したベッド、ソファベッド。
【請求項２】
使用者によって複数機能を具備、請求項１と合わせてデザインした付属の背クッションと布団、毛布を収納したカバーを特徴とする脚付き折りたたみベッド、ソファベッド。
【請求項３】
専用布団収納カバーの使用により、布団・毛布などが簡単に収納可能。さらに、収納位置により布団のクッション性を利用して背もたれができ、ベッドと同色同生地のカバーのため、一体感があるソファとなる特徴とする脚付き折りたたみベッド、ソファベッド。
【考案の詳細な説明】
【技術分野】
【０００１】
本考案は、ポケットコイルスプリングを搭載した脚付きベッドが部屋の通路を確保する為に折りたため、クッション及び収納カバーを使うことによりソファーとしても使える機能を備え、様々な形に変化するベッドソファーに関するものである。
【背景技術】
【０００２】
従来の折りたたみベッド・ソファベッド は、背中のリクライニング機能があるため、リクライニング時に必要なマット内部に隙間ができたりパイプが背中にあたり、寝心地が損なわれていた。また、脚がついたポケットコイルスプリング入りベッドは折りたたむことは難しい事である。
【考案の概要】
【考案が解決しようとする課題】
【０００３】
従来のベッドは狭い部屋や窓際に配置しにくい。窓の外に出る時はベッドを跨ががなければならないし狭い部屋では通路が取れない。設置が可能なソファベッドもあるがベッドメインとして寝る為に長期使用に向いてない。
【０００４】
従来、リクライニング機能がある折りたたみベッド・ソファベッドしかコンパクトに折りたためる物はなかった。マットにしても折りたたむ場合は、この折りたたむ部分やリクライニング部分に隙間ができ、寝心地が悪い原因になる。
【０００５】
従来の折りたたみベッド・ソファベッドは、布団と毛布の収納を考えることが無かったため、布団と毛布は押し入れに収納の必要があった。もしくは、別に収納場所を確保しなければならなかった。
【課題を解決するための手段】
【０００６】
本考案は前述した課題により、ベッドの寝心地をよくするためリクライニング機能を外した。隙間の問題を解決し、さらにマットレス２には頭部から臀部まで、ポケットコイルスプリングを入れ込むより、腰や肩もしっかり支えるので、体圧分散に優れる。座面マット１は鉄フレームにウレタン素材のみで気楽に折りたためる軽さを保持。ベッドの状態から座面マット１を内側に折りたたむことにより部屋のスペースを確保でき、省スペースと寝心地が良いという利点を両立するベッドとして提供することにある。
【０００７】
リクライニング機能を止める代わりに、背クッション３という物を付属している。リクライニングが無くても壁を利用して背クッションを立てれば背もたれとして流用でき、さらに色々な用途として使うことが出来る。
【０００８】
同色同生地の布団収納カバー７の使用で、布団類を簡単に片付けることができる。折りたたんだときに背クッション３を壁に立てることにより隙間ができ、その隙間にベッド本体と同生地の収納カバー７の中に布団８、毛布９を収納し背になる形状に整えて使用することでソファーとしても使える。折りたたみ時でも無駄な場所を取らず有効にスペース活用ができる省スペースベッドである。
【考案の効果】
【０００９】
この考案によると、頭部から臀部までのマット部分にポケットコイルスプリングを使いより寝心地をよくしベッドの状態から座面マット１を内側に折りたたむことによりスペースを確保。壁と背クッション３と収納カバー７に布団、毛布を収納しクッションとして専用スペースに嵌め込み、さらに枕６を手前に設置することによりソファとして使用可能。
【図面の簡単な説明】
【００１０】
【図１】折りたたんだ状態として使用する際のベッド側面図である。
【図２】開いた状態として使用する際のベッド側面図である。
【図３】折りたたんだ布団と毛布を収納カバーに収納した状態でソファとして使用する際のベッド側面図である。
【図４】ソファとして使用する際のベッド正面図である。
【図５】ベッドヘッドとして使用する際のベッド側面図である。
【図６】サイドテーブルとして使用する際のベッド側面図である。
【図７】テーブルとして使用する際のベッド側面図である。
【考案を実施するための形態】
【００１１】
このベッドソファー１台で睡眠に必要なベッドや寝具の役割を果たす。枕、布団、布団カバー、毛布、マットレスベッド、マットレスカバー、収納カバー、背クッションが付属する。以下、本考案の実施例を図面を参照して説明する。
【実施例】
【００１２】
図１は折りたたんだ状態。図２は開いた状態。座面マット１をマットレス２の上に折りたたむことにより、従来のベッドの５分の２のスペースを有効活用できる。
【００１３】
折りたたんだときに背クッション３を壁に立てることにより隙間ができ、その隙間にソファ本体と同生地の収納カバー７の中に布団８、毛布９を収納し背になる形状に整えて使用することでソファーとしても使えます（図3、図4参照）。
【００１４】
ベッドと壁で背クッション３を挟み込めば、ベッドヘッドやサイドテーブルとして使えます（図５、図６参照）。携帯、目覚まし、本など置くことが可能。またベッドテーブル、むくみ防止の足置きクッションとしても使用可能です（図７参照）。
【符号の説明】
【００１５】
１    座面マット
２    マットレス
３    背クッション
４    肘・ベッド脚
５    ベッド脚
６    枕
７    収納カバー
８    布団
９    毛布
【図１】
0003233726.tif 000003
【図２】
0003233726.tif 000004
【図３】
0003233726.tif 000005
【図４】
0003233726.tif 000006
【図５】
0003233726.tif 000007
【図６】
0003233726.tif 000008
【図７】
0003233726.tif 000009
【手続補正書】
【提出日】令和3年4月22日(2021.4.22)
【手続補正１】
【補正対象書類名】実用新案登録請求の範囲
【補正対象項目名】全文
【補正方法】変更
【補正の内容】
【実用新案登録請求の範囲】
【請求項１】
折り畳み機能付きベッド・ソファーを折り畳んだ時に、本台と連結していない四方立方体の背クッション３がぴったり収納できるように構造され、同じ幅、同じ厚さの座面マット１との組み合わせにより、高さが同じく水平になる広い面積が使えることを特徴とするベッドソファー図１。
【請求項２】
前記ベッドソファーを折り畳んだ時に、前記背クッションをマットレス２と垂直に壁に寄りかけて、収納カバー７に折り畳んだ布団と毛布を収納して、そのクッション性を利用して、背クッションの前方に設置することにより、ソファーとして使えることを特徴とするベッドソファー。
【請求項３】
前記ベッドソファーを開いた状態の時は、前記背クッションの配置場所により、ベッドヘッド図５、サイドテーブル図６、テーブル図７として使用でき、前記収納カバーに収納した布団と毛布は就寝用アイテムとして使用できる図８を特徴とするベッドソファー。
【手続補正２】
【補正対象書類名】明細書
【補正対象項目名】００１０
【補正方法】変更
【補正の内容】
【００１０】
【図１】折りたたんだ状態として使用する際のベッドソファー側面図である。
【図２】開いた状態として使用する際のベッドソファー側面図である。
【図３】折りたたんだ布団と毛布を収納カバーに収納した状態でソファとして使用する際のベッドソファー側面図である。
【図４】ソファとして使用する際のベッドソファー正面図である。
【図５】ベッドヘッドとして使用する際のベッドソファー側面図である。
【図６】サイドテーブルとして使用する際のベッドソファー側面図である。
【図７】テーブルとして使用する際のベッドソファー側面図である。
【図８】開いた状態として使用する際のベッドソファーと付属する布団と毛布の側面図である。
【手続補正３】
【補正対象書類名】図面
【補正対象項目名】全図
【補正方法】変更
【補正の内容】
【図１】
0003233726.tif 000010
【図２】
0003233726.tif 000011
【図３】
0003233726.tif 000012
【図４】
0003233726.tif 000013
【図５】
0003233726.tif 000014
【図６】
0003233726.tif 000015
【図７】
0003233726.tif 000016
【図８】
0003233726.tif 000017
【手続補正書】
【提出日】令和3年7月6日(2021.7.6)
【手続補正１】
【補正対象書類名】実用新案登録請求の範囲
【補正対象項目名】全文
【補正方法】変更
【補正の内容】
【実用新案登録請求の範囲】
【請求項１】
折り畳み機能付きベッドを折り畳んだ時に、上部の座面マットと下部のポケットコイル入りマットレスになり、その下部のポケットコイル入りマットレスは本体の約5分の3を占め、上部の座面マットは本体の約5分の2を占め、上部の方にはベッド本体と連結してない四方立方体の背クッションがぴったり収納できるように構造され、同じ幅、同じ厚さと硬さの座面マットとの組み合わせにより、高さが同じく水平になる広い面積が使えることを特徴とするベッド。
【請求項２】
折り畳み機能付きベッドを折り畳んだ時に、上の部分となる座面マットと同じ幅、同じ厚さにした背クッションを下部のマットレスと垂直に壁に寄りかけて、ベッドのカバーと同色同生地の収納カバーに折り畳んだ布団と毛布を収納して、そのクッション性を利用して、背クッションの前方に設置することにより、ソファーとして使えることを特徴とするベッド。
【請求項３】
折り畳んだベッドを開くとベッド状態になり、請求項1と2に記載した背クッションの配置場所により、ベッドヘッドとして配置をし、請求項2の収納カバーに収納した布団と毛布を敷き、この一台で寝具を全て装備したベッドとして使用できることを特徴するベッド。
【手続補正３】
【補正対象書類名】明細書
【補正対象項目名】０００１
【補正方法】変更
【補正の内容】
【０００１】
本考案は、ポケットコイルスプリングを搭載した脚付きベッドが部屋の通路を確保する為に折りたため、背クッション及び収納カバーを使うことによりソファーとしても使える機能を備え、様々な形に変化するベッドに関するものである。
【手続補正４】
【補正対象書類名】明細書
【補正対象項目名】０００３
【補正方法】変更
【補正の内容】
【０００３】
従来のベッドは狭い部屋や窓際に配置しにくい。窓の外に出る時はベッドを跨がなければならないし、狭い部屋では通路が取れない。設置が可能なソファベッドもあるがベッドメインとして寝る為の長期使用に向いてない。
【手続補正５】
【補正対象書類名】明細書
【補正対象項目名】０００４
【補正方法】変更
【補正の内容】
【０００４】
従来、リクライニング機能がある折りたたみベッド・ソファベッドしかコンパクトに折りたためる物はなかった。マットにしても折りたたむ場合は、この折りたたむ部分やリクライニング部分がちょうど腰や背中に当たる場所に隙間ができ、寝心地が悪い原因になる。
【手続補正６】
【補正対象書類名】明細書
【補正対象項目名】０００６
【補正方法】変更
【補正の内容】
【０００６】
本考案は前述した課題により、ベッドの寝心地をよくするためリクライニング機能を外した。腰や背中に当たる部分の隙間の問題を解決し、さらにマットレス２には頭部から臀部まで、ポケットコイルスプリングを入れ込むより、優れた体圧分散を実現し、腰や肩もしっかり支えるので、快適な寝心地を実現しました。座面マット１は鉄フレームにウレタン素材のみで気楽に折りたためる軽さを保持。ベッドの状態から座面マット１を内側に折りたたむことにより部屋のスペースを確保でき、省スペースと寝心地が良いという利点を両立するベッドにした。
【手続補正７】
【補正対象書類名】明細書
【補正対象項目名】０００７
【補正方法】変更
【補正の内容】
【０００７】
リクライニング機能を外す代わりに、背クッション３という物を付属した。リクライニングが無くても壁を利用して背クッションを立てれば背もたれとして流用でき、さらに色々な用途として使うことが出来る。
【手続補正８】
【補正対象書類名】明細書
【補正対象項目名】０００８
【補正方法】変更
【補正の内容】
【０００８】
ベッド本体と同色同生地の収納カバー７の使用で、布団類を簡単に片付けることができる。折りたたんだときに背クッション３を壁に立てることによりできる隙間にベッド本体と同生地の収納カバー７の中に布団８、毛布９を収納し背になる形状に整えて使用することでソファーとしても使える。折りたたみ時でも無駄な場所を取らず有効にスペース活用ができるようにした。
【手続補正９】
【補正対象書類名】明細書
【補正対象項目名】０００９
【補正方法】変更
【補正の内容】
【０００９】
この考案によると、頭部から臀部までのマット部分にポケットコイルスプリングを使い、ベッドとしても寝心地が良い仕様にした。座面マット１を内側に折りたたむことにより通路の確保ができ、部屋のスペースを有効活用できる。さらに壁と背クッション３と収納カバー７に布団、毛布を収納したクッションを利用し、枕６を手前に設置することによりソファとしても使用可能。背クッション３はテーブル、サイドテーブル、ベッドヘッドとしても用途に合わせて使用が可能である。
【手続補正１０】
【補正対象書類名】明細書
【補正対象項目名】００１０
【補正方法】変更
【補正の内容】
【００１０】
【図１】折りたたんだ状態として使用する際のベッド側面図である。
【図２】開いた状態として使用する際のベッド側面図である。
【図３】折りたたんだ布団と毛布を収納カバーに収納した状態でソファとして使用する際のベッド側面図である。
【図４】ソファとして使用する際のベッド正面図である。
【図５】ベッドヘッドとして使用する際のベッド側面図である。
【図６】サイドテーブルとして使用する際のベッド側面図である。
【図７】テーブルとして使用する際のベッド側面図である。
【図８】開いた状態として使用する際のベッドと付属する布団と毛布の側面図である。
【手続補正１１】
【補正対象書類名】明細書
【補正対象項目名】００１１
【補正方法】変更
【補正の内容】
【００１１】
このベッド１台で睡眠に必要な寝具を装備。枕、布団、布団カバー、毛布、マットレスベッド、マットレスカバー、収納カバー、背クッションが付属する（図８）。以下、本考案の実施例を図面を参照して説明する。
【手続補正１２】
【補正対象書類名】明細書
【補正対象項目名】００１２
【補正方法】変更
【補正の内容】
【００１２】
座面マット１をマットレス２の上に折りたたむことにより、従来のベッドの５分の２のスペースで部屋を有効活用できる。背クッション３は折りたたんだベッドの上部にぴったりと収納できるような構造にしており、座面マットと組み合わせると、高さが同じく水平になる広い面積ができるので、折り畳んだ時でも無駄な場所を取らずスペースの活用ができる（図１、図２参照）。
【手続補正１３】
【補正対象書類名】明細書
【補正対象項目名】００１４
【補正方法】変更
【補正の内容】
【００１４】
ベッドと壁で背クッション３を挟み込めば、ベッドヘッドやサイドテーブルとして使える（図５、図６参照）。携帯、目覚まし、本など置くことが可能。またベッドで使うテーブルとしても使用ができ、むくみ防止の足置きクッションとしても使用可能（図７参照）。